(57)【特許請求の範囲】
【請求項１】
前面が開口する箱形状の筐体と、前記筐体の前面に開閉可能に取り付けられた前面枠と、を備え、
前記前面枠には、遊技に使用するメダルが払い出される払出口を開設するとともに、前記払出口から払い出されたメダルを受け止めて貯留するための箱型状の受皿を備えた遊技機において、
前記受皿の内底部には、
前記払出口前方の前後方向にわたって窪むとともに前記払出口から払い出されたメダルを収容可能なメダル収容窪部と、
前記メダル収容窪部の上縁から左右方向のそれぞれに向かって下り傾斜するとともに前記メダル収容窪部に収容しきれなくなったメダルを当該受皿の左右端側に誘導する誘導部と、を備え、
前記メダル収容窪部は、メダルを起立させて前後方向に整列可能な曲率半径で形成されるメダル整列部を備えていることを特徴とする遊技機。
【請求項２】
前記メダル収容窪部は、前記払出口側に位置するとともに当該払出口から払い出されたメダルを前記メダル収容窪部に案内するためのメダル案内部をさらに備え、
前記メダル案内部は、
前記払出口との連通部が前記払出口の幅よりも大きく形成され、
前記連通部から前記メダル収容窪部に向かって幅が小さく形成されることを特徴とする請求項１に記載の遊技機。
【請求項３】
前記受皿の前壁部には、前記メダル収容窪部の内壁と連続するように切り欠かれたメダル取出部が形成されることを特徴とする請求項１又は２に記載の遊技機。
【請求項４】
前記メダル取出部には、メダルを起立させて嵌め込むことが可能なメダル起立用溝部が形成されることを特徴とする請求項３に記載の遊技機。
【請求項５】
前記メダル収容窪部は、前記メダル取出部に向けて上り傾斜して形成されることを特徴とする請求項３又は４に記載の遊技機。
【発明の詳細な説明】
【技術分野】
【０００１】
本発明は、メダル等の遊技媒体を用いて遊技を行う遊技機に関し、特に、遊技媒体の受皿にメダルを貯留できるようにした遊技機に関する。
【背景技術】
【０００２】
従来、メダル等の遊技媒体を用いる遊技機として、例えばスロットマシン等が提供されている。このスロットマシンは、前面が開口する箱型状の筐体、及びこの筐体の開口した前面を開閉可能に取り付けられた前面枠を備える。前面枠には、メダルが払い出される払出口が形成される。そして、前面枠の下部には、払出口から払い出されたメダルの遊技媒体を受け止めて貯留するための受皿が取り付けられていた。
【０００３】
この受皿を改良した技術として、メダルを貯留するための受皿の前壁部を手前側に膨出させる膨出部を形成することにより、遊技者によるメダルの掻き出しをガイドするようにしたスロットマシンが提案されている（例えば、特許文献１）。
【特許文献１】特開２００７−０１４４５０号公報
【発明の開示】
【発明が解決しようとする課題】
【０００４】
しかしながら、従来のスロットマシンに取り付けられていた受皿の内底部の形状は平坦であった。このため、払出口から払い出されるメダルが少量である場合、払出口から払い出された少量のメダルは、受皿内部で散乱してしまっていた。
【０００５】
したがって、遊技者は、払出口から払い出されたメダルをメダル投入口に投入する場合、受皿からメダルを取り出す他に、受皿内でメダルを掻き集めなければならなかった。このメダルを掻き集める行為は非常に煩雑であり、遊技の進行を遅らせる原因となっていた。
【０００６】
そこで、本発明は、遊技者がメダルを掻き集める煩雑さを解消し、受皿からメダルを取り出しやすい遊技機を提供することを目的とする。
【課題を解決するための手段】
【０００７】
第１の発明は、前面が開口する箱形状の筐体と、前記筐体の前面に開閉可能に取り付けられた前面枠と、を備え、前記前面枠には、遊技に使用するメダルが払い出される払出口を開設するとともに、前記払出口から払い出されたメダルを受け止めて貯留するための箱型状の受皿を備えた遊技機において、前記受皿の内底部には、前記払出口前方の前後方向にわたって窪むとともに前記払出口から払い出されたメダルを収容可能なメダル収容窪部と、前記メダル収容窪部の上縁から左右方向のそれぞれに向かって下り傾斜するとともに前記メダル収容窪部に収容しきれなくなったメダルを当該受皿の左右端側に誘導する誘導部と、を備え、前記メダル収容窪部は、メダルを起立させて前後方向に整列可能な曲率半径で形成されるメダル整列部を備えていることを特徴とする。
【０００９】
第２の発明は、第１の発明において、前記メダル収容窪部は、前記払出口側に位置するとともに当該払出口から払い出されたメダルを前記メダル収容窪部に案内するためのメダル案内部をさらに備え、前記メダル案内部は、前記払出口との連通部が前記払出口の幅よりも大きく形成され、前記連通部から前記メダル収容窪部に向かって幅が小さく形成されることを特徴とする。
【００１０】
第３の発明は、第１又は２の発明において、前記受皿の前壁部には、前記メダル収容窪部の内壁と連続するように切り欠かれたメダル取出部が形成されることを特徴とする。
【００１１】
第４の発明は、第３の発明において、前記メダル取出部には、メダルを起立させて嵌め込むことが可能なメダル起立用溝部が形成されることを特徴とする。
【００１２】
第５の発明は、第３又は４の発明において、前記メダル収容窪部は、前記メダル取出部に向けて上り傾斜して形成されることを特徴とする。
【発明の効果】
【００１４】
第１の発明によれば、払出口の前方にメダル収容窪部が位置するので、少量のメダルが払い出された場合には、メダル収容窪部内にメダルが収容される。よって、遊技者は受皿全体からメダルを掻き集めることなく、メダルを取り出すことができ、遊技者がメダルを掻き集める煩雑さを解消し、受皿からメダルを取り出しやすい。また、メダル収容窪部内に多数のメダルが収容されている場合、誘導部の傾斜によってメダルが受皿の左右の端側に誘導されて受皿の端側から貯留され、受皿に均等にメダルが貯留されるので、遊技者は受皿に貯留されたメダルを均等にするために手で掻き分ける必要がない。さらに、遊技者が受皿の端側に貯留されたメダルを取り出す際にも、メダル収容窪部までメダルを掻き入れれば、メダル収容窪部内でメダルがまとまった状態になるので、大量のメダルを容易に取り出すことができる。
【００１５】
第１の発明によれば、遊技者は、メダル整列部によってメダルを起立させて前後方向に整列させることができ、容易にメダルを束にして取り出すことできる。なお、メダルを束にして取り出すことができるので、遊技者はメダル投入口へメダルを投入しやすくなる。また、メダル整列部でメダルを整列させた後に、大量のメダルが払い出された場合には、払い出されたメダルが整列されたメダルにぶつかり左右に振り分けられるので、受皿に均等にメダルが貯留されるので、遊技者は受皿に貯留されたメダルを均等にするために手で掻き分ける必要がない。さらに、遊技者によっては、受皿内部でメダルを整列させて貯留させることがあり、この場合には、メダル整列部で整列されたメダルが基準となって受皿内のメダルを整列させ易くなる。
【００１６】
第２の発明によれば、遊技者は、払出口から払い出されたメダルを、メダル案内部により絞り込んでメダル整列部に誘導できるので、メダル整列部でメダルを整列させやすくなる。また、メダル整列部でメダルを整列させない場合であっても、メダル案内部内でメダルが一塊になっているので、遊技者は一回の取出動作で多数のメダルを取り出すことができる。
【００１７】
第３の発明によれば、遊技者は、メダル収容窪部に収容されたメダルをメダル収容窪部の内壁と連続するメダル取出部から取り出すことができるので、メダル収容窪部に収容されたメダルを取り出しやすくなる。
【００１８】
第４の発明によれば、メダル起立用溝部にメダルを嵌め込むことにより、メダル起立用溝部に嵌め込まれたメダルによってメダル取出部が塞がれるので、受皿からのメダルの落下を防止できる。
【００１９】
第５の発明によれば、払出口から払い出されたメダルの勢いがメダル収容窪部の傾斜によって減衰され、メダル取出部からメダルが直接落下することを防止できる。
【発明を実施するための最良の形態】
【００２０】
以下、本発明の実施形態について、図面を参照して説明する。
【００２１】
なお、以下の実施の形態の説明において記す前後左右とは、遊技者から見た、つまり遊技盤に向かって見た方向を指すものとする。
【００２２】
図１は、本発明の実施形態の遊技機（スロットマシン）１の構成を示す外観斜視図である。
【００２３】
遊技機（スロットマシン）１は、前面が開口する箱型状の筐体２２と、この筐体２２の開口した前面を開閉可能に取り付けられた前面枠２とを備える。筐体２２は、左側に図示しない蝶番を有し、この蝶番を軸として片開き形式に開閉自在な前面枠２が取り付けられている。
【００２４】
前面枠２の中央には開口窓部３が設けられている。開口窓部３は、背面から取り付けられたクリア部材（装飾パネル）４によって閉塞されている。クリア部材４は、透明プラスチック板等の透明樹脂からなり、シルクスクリーン印刷や印刷されたフィルムの貼付等により装飾（図示省略）が施されている。特に、クリア部材４の上部には、遊技方法や入賞図柄の組合せ等の図柄が装飾により施されている。また、クリア部材４は、一部に装飾が施されていない領域（又は無色透明の装飾が施されている領域）を有し、当該領域は開口窓部３の背面側を前面から視認可能な表示窓部を形成している。
【００２５】
開口窓部３の背面には、変動表示装置（可変表示装置）を構成する図示しない３個のリールが、回転自在に並んで配置されている。各リールの外周面には、複数種類のシンボル（図柄）からなる図柄列が表記されている。リールはリール用モータによって駆動され、互いに独立して回転する。遊技機１では、リールの回転によって変動表示ゲームが行われる。そして、変動表示の停止結果が、遊技者によるメダルの賭け操作によって設定された有効ライン上において所定の表示態様（所定の図柄組合せ態様）となることによって、所定の遊技価値を遊技者に付与する。
【００２６】
クリア部材４の略中央には、リールの回転によって変動表示（可変表示）する図柄を遊技者に視認させるための表示窓部（図示省略）が設けられている。リールが停止すると、表示窓部から、リールの外周面に表記された図柄列のうちそれぞれ３個の図柄が視認可能となる。つまり、リールが停止した状態で、表示窓部から合計９個の図柄を視認することができる。
【００２７】
また、開口窓部３の背面下方には、いずれも図示しないが、７セグメントＬＥＤ又は液晶ディスプレイよりなる払出枚数表示部、遊技進行表示部及びクレジット数表示部が設けられている。そして、クリア部材４の下部には、これらの払出枚数表示部、遊技進行表示部及びクレジット数表示部を視認するための表示窓部が設けられている。
【００２８】
払出枚数表示部は、入賞が確定することにより得られるメダルの払出枚数、又は、遊技機１の動作に異常（例えば、メダル不足、メダル詰まり）が発生した場合に、予め設定したエラーコードを表示する。遊技進行表示部は、アシスト（ＡＴ）状態（小役等の入賞フラグの状態、リールの特定の停止順等が遊技者に報知される遊技状態）中、ビッグボーナス（ＢＢ）状態中又はレギュラーボーナス（ＲＢ）状態中の残りゲーム回数を表示する。クレジット数表示部は、遊技者のメダル投入操作によって蓄積されるクレジット数を表示する。
【００２９】
クリア部材４の前方の傾斜台部６には、右方にメダルを投入するメダル投入口７が設けられている。このメダル投入口７にメダルを投入すると、投入されたメダルは賭数として加算される。なお、賭数が最大ベット可能枚数（例えば、３枚）に達している場合は、投入されたメダル数は賭数に加算されることなく、クレジット数に加算される。また、クレジット数が限度値（例えば、５０）に達している場合は、投入されたメダルはクレジット数に加算されることなく、前面枠２の最下部に設けられた受皿８に排出される。受皿８は、前面枠２の背面側にあるメダル払出装置（ホッパ）から払い出され、払出口５から排出されたメダルを貯留する。
【００３０】
傾斜台部６には、一回の押圧操作によって最大ベット可能枚数のメダルをベットするベットボタン９が設けられている。ベットボタン９を操作すると、例えば、メダルが１枚もベットされていない場合は３枚のメダルがベットされ、メダルが１枚だけベットされている場合はさらに２枚のメダルがベットされる。このベットボタン９を用いることによって、メダル投入口７からメダルを投入することなく、クレジット数以内でメダルをベットすることができる。
【００３１】
前面枠２の下方には、四辺形状の化粧パネル１０が設けられている。化粧パネル１０の左上方には、クレジットを精算するためのクレジット精算ボタン１１が設けられている。クレジット精算ボタン１１の操作によってクレジット数に相当する数のメダルが受皿８に排出され、同時にクレジット数表示部の表示はクリアされて０になる。
【００３２】
クレジット精算ボタン１１の右側には、リールの回転を一斉に開始させるためのスタートレバー１２が設けられている。スタートレバー１２の右側には、各リールの回転を停止させ、停止図柄を導出させるためのリール停止ボタン１３〜１５が設けられている。リール停止ボタン１３〜１５が操作されると、各ボタンに対応したリールがそれぞれ回転を停止する。なお、賭数が０の場合は、変動表示ゲームの開始条件が満たされていないため、スタートレバー１２を操作してもリールは回転しない。
【００３３】
リール停止ボタン１５の右側には、返却ボタン１６が設けられている。メダル投入口７からのメダルの流下路１０４（図７Ｂに示す）内にメダルが詰まった場合に返却ボタン１６を操作すると、流下路１０４に詰まったメダルが受皿８に返却される。
【００３４】
前面枠２の上方には、上部装飾ユニット１７が設けられている。上部装飾ユニット１７では補助ゲームが実行され、リールによる変動表示ゲームに関連する演出表示や情報表示を行う。上部装飾ユニット１７は、図示しない表示制御装置によって制御され、表示内容を変動する。なお、補助ゲームは、特定の結果を導出することで、変動表示ゲームにおいて特定入賞のフラグが成立したことを遊技者に報知することができる。
【００３５】
上部装飾ユニット１７の上方左右には、スピーカの放音部１８が設けられている。また、受皿８内の奥まった位置には、左右それぞれにスピーカの放音部１９が設けられている。
【００３６】
また、上部装飾ユニット１７の上方には、装飾用ランプ、ＬＥＤ等からなる装飾部２０が設けられている。装飾部２０は、ＢＢ状態又はＲＢ状態の発生時に種々の態様で点灯することによって、遊技の興趣を向上させる。また、受皿８の左方には、灰皿２１が設けられている。
【００３７】
上述したように、本実施形態に係る遊技機１は、遊技に使用するメダルが払い出される払出口５と、この払出口５から払い出されたメダルを受け止めて貯留するための受皿８とを備えている。
【００３８】
図２は、本発明の実施形態の受皿８の斜視図であり、図３は、本発明の実施形態の受皿８の分解斜視図であり、図４は、本発明の実施形態の受皿８の中央付近の断面図である。
【００３９】
受皿８は、メダルを貯留する箱型形状のカバー部材８１及びカバー部材８１を収容する箱型形状の取付ベース部材９１によって形成される。カバー部材８１は、取付ベース部材９１の後方から取付ベース部材９１内に挿入され、取付ベース部材９１と前面枠２によって挟まれ保持される。
【００４０】
カバー部材８１には、前壁８２、左側壁８３、右側壁８４及び底面８６によって、メダル収容空間が形成される。
【００４１】
左側壁８３の上端部と右側壁８４の上端部との間には、取付ベース部材９１に対するカバー部材８１の上側の移動を規制する上面８５が設けられる。上面８５には、遊技者が受皿８に貯留したメダルを取り出すための第１開口部８７が形成される。また、カバー部材８１の後方には、受皿８を前面枠２に取り付けた場合に、払出口５が位置する第２開口部８８が形成される。
【００４２】
底面８６は、払出口５前方の前後方向にわたって窪むとともに払出口から払い出されたメダルを収容するメダル収容窪部８６１と、メダル収容窪部８６１の上縁から左右方向のそれぞれに向かって下り傾斜するとともにメダル収容窪部８６１に収容しきれなくなったメダルを受皿８の左右端側に誘導する誘導部８６２と、を有する。
【００４３】
誘導部８６２は、メダル収容窪部８６１の左側上縁部から左方向に向かって下り傾斜する左側誘導部８６２Ａとメダル収容窪部８６１の右側上縁部から右方向に下り傾斜する右側誘導部８６２Ｂとからなる。
【００４４】
前壁８２の中央部には、遊技者がカバー部材８１に貯留したメダルを取り出すためのメダル取出部８２１が設けられる。メダル取出部８２１は、メダル収容窪部８６１の窪みの内壁と連続し、前壁８２の中央の上端が半円状に切り欠かれることにより形成される。メダル取出部８２１には、一枚のメダルを起立させて嵌め込ませる溝であるメダル起立用溝部８２２が設けられる。
【００４５】
なお、メダル収容窪部８６１及び誘導部８６２は、図５Ａ及び図５Ｂで詳細を説明する。
【００４６】
次に、取付ベース部材９１について説明する。
【００４７】
取付ベース部材９１は、カバー部材８１を収納するカバー部材収納部９２、及び灰皿２１を収納する灰皿収納部９３を備える。
【００４８】
まず、カバー部材収納部９２について説明する。
【００４９】
カバー部材収納部９２には、前壁９４、中間側壁９５、右側壁９６、上面９７及び底面９８によって、カバー部材収納空間が形成される。
【００５０】
上面９７には、遊技者が受皿８に貯留したメダルを取り出すための第１開口部９９が形成される。取付ベース部材９１の第１開口部９９の形状は、取付ベース部材９１がカバー部材８１を収納した場合に、カバー部材８１の第１開口部８７の形状と一致するように形成される。なお、第１開口部８７は、払出口５の横幅よりも広い幅で区画されている。
【００５１】
また、取付ベース部材９１の背面には、カバー部材８１を内部に受け入れるための第２開口部１００が形成される。
【００５２】
前壁９４の中央部には、取付ベース部材９１がカバー部材８１を収納した場合に、カバー部材８１のメダル取出部８２１を収容する半円状の凹部１０５が形成される。
【００５３】
次に、灰皿収納部９３について説明する。
【００５４】
灰皿収納部９３は、後壁１０１、左側壁１０２、中間側壁９５及び上面９７から形成される。
【００５５】
左側壁１０２及び中間側壁９５の互いの対向面には、それぞれ凸部１０３が設けられる。一方、灰皿２１の左側面及び右側面には、凸部１０３に係合する開口部２１１が形成される。また、灰皿２１は、灰皿収納部９３に収納された場合に、灰皿収納部９３の後壁１０１と当接することによって、係止される。なお、灰皿２１は、凸部１０３を中心に、灰皿２１の後面が灰皿収納部９３の後壁１０１と当接するまでの範囲で、前後方向に回動可能である。
【００５６】
なお、上面９７は、灰皿収納部９３の左側壁１０２からカバー部材収納部９２の右側壁９６にわたって、前方に下り傾斜する傾斜面９７１、及び底面９８と略平行な上端面９７２を有する。なお、傾斜面９７１には、灰皿２１を収納するための開口部９７４及び第１開口部９９が形成される。上端面９７２には、前面枠２の図示しない穴部に係合する２つの係合部９７３が形成される。また、図２及び図３には図示されないが、図４に示すように、後壁１０１及び底面９８には、前面枠２の図示しない穴部に係合する係合部９７３がそれぞれ形成される。
【００５７】
これらの係合部９７３が前面枠２の図示しない穴部に係合することにより、取付ベース部材９１が、前面枠２に取り付けられる。
【００５８】
次に、カバー部材８１が取付ベース部材に収納された場合について説明する。
【００５９】
図２に示すように、取付ベース部材９１の前壁９４の前面は、灰皿２１の前面と一致する。また、図２に示すように、カバー部材８１の左側壁８３の高さは、取付ベース部材９１の中間側壁９５の高さと一致する。同様に、カバー部材８１の右側壁８４の高さは、取付ベース部材９１の右側壁９６の高さと一致する。なお、カバー部材８１の前壁８２の高さは、取付ベース部材９１の前壁９４の高さと一致する。
【００６０】
なお、カバー部材８１が取付ベース部材９１に収納された場合に、カバー部材８１の第２開口部８８は、取付ベース部材９１の第２開口部１００内に位置する。したがって、受皿８が前面枠２に取り付けられた場合、図６に示すように、カバー部材８１の第２開口部８８には、２つの放音部１９と２つの放音部１９の間にある払出口５が位置する。
【００６１】
そして、受皿８が前面枠２に取り付けられた場合、カバー部材８１は、取付ベース部材９１の前壁９４の内面と、右側壁９６の内面と、中間側壁９５の内面と、上端面９７２の下面と、前面枠２の前面とによって、位置決めされる。
【００６２】
次に、メダル収容窪部８６１及び案内部８６２について、図５Ａ及び図５Ｂを用いて説明する。
【００６３】
図５Ａは、本発明の実施形態のカバー部材８１の前方斜視図であり、図５Ｂは、本発明の実施形態のカバー部材８１の後方斜視図である。
【００６４】
図６に示すように、メダル収容窪部８６１は、払出口５の直下（前方）に位置する。これにより、払出口５から払い出されたメダルは、断面円弧状の窪部が形成されるメダル収容窪部８６１に収容される。
【００６５】
この窪部の曲率半径はメダルの曲率半径よりもわずかに大きく形成されるので、メダル収容窪部８６１は、メダルを起立させて前後方向に整列させた状態で収容できる。
【００６６】
また、図４、図５Ａ及び図５Ｂに示すように、メダル収容窪部８６１は、前方(メダル取出部８２１)に向かって上り傾斜している。これにより、払出口５から払い出されたメダルが勢い余って前方に飛び出すことを防止できる。
【００６７】
メダル取出部８２１は、メダル収容窪部８６１と段差なく接続される。メダル取出部８２１のメダル起立用溝部８２２は、一枚のメダルが起立できる溝である。なお、メダル起立用溝部８２２の溝幅は、メダルの厚みよりもわずかに大きく形成される。また、メダル起立用溝部８２２の溝の曲率半径は、メダルの曲率半径よりもわずかに大きい。
【００６８】
前述したように、メダル収容窪部８６１の左の上縁部（上端部）から左方向に対して下り傾斜する左側誘導部８６２Ａが設けられ、メダル収容窪部８６１の右の上縁部（上端部）から右方向に対して下り傾斜する右側誘導部８６２Ｂが設けられる。誘導部８６２の左右方向の長さは、前方側よりも後方側のほうが長くなっている。また、図４、図５Ａ及び図５Ｂに示すように、メダル収容窪部８６１の上縁部（上端部）は、前方に向かって上がり傾斜するので、メダル収容窪部８６１の前方側の上縁部（上端部）の高さは、メダル収容窪部８６１の後方側の上縁部（上端部）の高さよりも高い。したがって、案内部８６２の前方側の傾斜は、案内部８６２の後方側の傾斜よりも急になる。
【００６９】
図６は、本発明の実施形態の少量のメダルが払い出された場合の受皿８付近の遊技機１の拡大斜視図である。
【００７０】
本実施形態の場合、底面８６の前後方向の中央線の延長線上に払出口５が位置する。つまり、払出口５は底面８６の中央に対応する位置にある。また、払出口５の前後方向の中央線の延長線上にメダル収容窪部８６１が位置するので、払出口５から払い出されたメダルがメダル収容窪部８６１に収容されやすくなり、払出口５から払い出されたメダルが底面８６内で散乱しにくくなる。
【００７１】
さらに、メダル収容窪部８６１にメダルが収容されやすいので、遊技者は、メダルを掻き集める必要はなく、メダル収容窪部８６１に収容されたメダルをメダル収容窪部８６１内で起立させてメダルの束を生成し、生成したメダルの束をメダル取出部８２１の切り欠きを通過するように手前に引き出して取り出すことができる。
【００７２】
メダルの束としてメダルを取り出せるので、遊技者は、メダル投入口７に一枚ずつメダルを投入しやすくなる。
【００７３】
なお、メダル収容窪部８６１は、払出口５の左側壁の延長線と右側壁の延長線との間であれば、どこに配置してもよい。
【００７４】
図７Ａは、本発明の実施形態のメダル起立用溝部８２２にメダルを嵌めた場合の受皿８付近の遊技機１の拡大斜視図であり、図７Ｂは、本発明の実施形態のメダル起立用溝部８２２にメダルを嵌めた場合の受皿８付近の遊技機１の断面図である。
【００７５】
遊技者は、図７Ａに示すように、メダル起立用溝部８２２にメダル（Ｍ）を嵌め込み、メダル起立用溝部８２２にメダルを起立させる。
【００７６】
これによって、起立させたメダルによってメダル取出部８２１が塞がれるので、払出口５から払い出されたメダルが勢い余ってメダル取出部８２１側に飛び出しても、メダル起立用溝部８２２に嵌め込まれ起立させたメダルによって、受皿８の外側に飛び出すことを防止できる。
【００７７】
なお、図７Ｂに示すように、メダル起立用溝部８２２は、メダル起立用溝部８２２に嵌め込まれて起立させたメダルの上端と、前壁８２の上端とが一致するように形成される。このようにすることで、遊技者が受皿を触る際に邪魔にならずに済む。
【００７８】
図８は、本発明の実施形態のメダル収容窪部８６１にメダルを整列させた場合の受皿８付近の遊技機１の拡大斜視図である。
【００７９】
遊技者は、図７Ａ及び図７Ｂに示すように、メダル起立用溝部８２２にメダルを嵌め込め込むことによって起立させ、メダル収容窪部８６１に収容されたメダルを起立させてメダル収容窪部８６１内でメダルの束を生成する。メダル収容窪部８６１内でメダルの束が生成された後、払出口５から払い出されたメダルは、メダルの束にぶつかり、左右方向のいずれかに振り分けられて、受皿８に貯留される。この場合、払い出されたメダルが、左右方向に下り傾斜する誘導部８６２により、左右方向の端側に貯留され、その後、中央に向かって貯留される。これによって、払い出されたメダルが受皿８内に均等に貯留され、遊技者は、手でメダルを受皿８内で均等にする必要がなくなる。
【００８０】
なお、遊技者がメダル収容窪部８６１に収容されたメダルを起立させてメダル収容窪部８６１内でメダルの束を生成していなくても、メダル収容窪部８６１に多数のメダルが収容され、メダル収容窪部８６１にメダルが収容できなくなると、払い出されたメダルは、メダル収容窪部８６１に収容されているメダルにぶつかり、左右方向のいずれかに貯留されるので、払い出されたメダルが受皿８内に均等に貯留される。
【００８１】
本実施形態では、図６で説明したように、底面８６の左右方向の中央に払出口５が位置するが、底面８６の左右方向の中央からずれて払出口５が位置する場合に、メダル収容窪部８６１が形成される位置について説明する。
【００８２】
例えば、払出口５が底面８６の左右方向の中央から左にずれて位置する場合、払出口８６１から払い出されたメダルは左側誘導部８６２Ａ付近にぶつかりやすくなり、左側の貯留スペースに貯留されやすい。この場合、左側の貯留スペースにメダルが貯留しやすくなる。右側の貯留スペースが空いているにもかかわらず、左側の貯留スペースが一杯になってしまうので、受皿８の貯留可能メダル数は、半減する。したがって、遊技者は、左側の貯留スペースが一杯になると、左側の貯留スペースから右側の貯留スペースにメダルを移動させなければならない。
【００８３】
そこで、払出口５が底面８６の左右方向の中央から左にずれて位置する場合、払出口５の中央の延長線よりも左側に位置するようにメダル収容窪部８６１を形成するとよい。これにより、払出口５から払いされたメダルは右側案内部８６２Ｂ付近にぶつかりやすくなり、右側の貯留スペースに貯留されやすい。さらに、メダル収容窪部８６１が底面８６の左右方向から左側にずれて形成されているため、メダル収容窪部８６１の左側の貯留スペースは、メダル収容窪部８６１の右側の貯留スペースよりも狭くなる。
【００８４】
このため、払出口５から払い出されたメダルは、広いほうの貯留スペース（右側の貯留スペース）に貯留されやすくなり、狭いほうの貯留スペース（左側の貯留スペース）に貯留されにくくなる。よって、遊技者は、左側の貯留スペースから右側の貯留スペースにメダルを頻繁に移動させなくてもよい。
【００８５】
次に、本発明の実施形態の変形例を図９を用いて説明する。
【００８６】
図９は、本発明の実施形態の変形例の受皿８付近の遊技機１の拡大斜視図である。
【００８７】
メダル収容窪部８６１は、前方にメダル整列部８６１Ａ及び後方にメダル整列部８６１Ａにメダルを案内するためのメダル案内部８６１Ｂを有する。
【００８８】
メダル整列部８６１Ａの構成は、図１〜図８で説明した実施形態のメダル収容窪部８６１と同じなので、説明を省略する。
【００８９】
メダル案内部８６１Ｂは、後方側（払出口５側）にかけて窪部の径が大きくなる。メダル案内部８６１Ｂの後端の窪部の径は、払出口５の横幅よりもわずかに大きくなるように形成されている。換言すると、メダル案内部８６１Ｂの窪部の径は、払出口５との連通部の幅が払出口５の横幅よりもわずかに大きくなるように形成され、かつ連通部からメダル整列部８６１Ａに向かって小さく形成される。これによって、払出口５から払い出されたすべてのメダルをメダル収容窪部８６１に収容できる。
【００９０】
また、メダルは、メダル整列部８６１Ａに向かって径が小さくなるメダル案内部８６１Ｂに沿って、メダル整列部８６１Ａに案内されるので、絞り込まれてメダル整列部８６１Ａに収容される。したがって、遊技者は、メダル整列部８６１Ａに収容されたメダルを起立させるだけで、メダルの束を生成できるようになる。
【００９１】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【００９２】
以上のように、本発明は、コイン又はメダル等の遊技媒体を貯留する受皿を有する遊技機に適用することができる。
【図面の簡単な説明】
【００９３】
【図１】本発明の実施形態の遊技機の構成を示す外観斜視図である。
【図２】本発明の実施形態の受皿の斜視図である。
【図３】本発明の実施形態の受皿の分解斜視図である。
【図４】本発明の実施形態の受皿の中央付近の断面図である。
【図５Ａ】本発明の実施形態のカバー部材の前方斜視図である。
【図５Ｂ】本発明の実施形態のカバー部材の後方斜視図である。
【図６】本発明の実施形態の少量のメダルが払い出された場合の受皿付近の遊技機の拡大斜視図である。
【図７Ａ】本発明の実施形態のメダル起立用溝部にメダルを嵌めた場合の受皿付近の遊技機の拡大斜視図である。
【図７Ｂ】本発明の実施形態のメダル起立用溝部にメダルを嵌めた場合の受皿付近の遊技機の断面図である。
【図８】本発明の実施形態のメダル収容溝部にメダルを整列させた場合の受皿付近の遊技機の拡大斜視図である。
【図９】本発明の実施形態の変形例の受皿付近の遊技機の拡大斜視図である。
【符号の説明】
【００９４】
１  遊技機（スロットマシン）
２  前面枠
３  開口窓部
４  クリア部材
５  払出口
６  傾斜台部
７  メダル投入口
８  受皿
９  ベットボタン
１０  化粧パネル
１１  クレジット精算ボタン
１２  スタートレバー
１３、１４、１５  リール停止ボタン
１５  リール停止ボタン
１６  返却ボタン
１７  上部装飾ユニット
１８  放音部
１９  放音部
２０  装飾部
２１  灰皿
８１  カバー部材
８２  前壁
８３  左側壁
８４  右側壁
８５  上面
８６  底面
９１  取付ベース部材
９２  カバー部材収納部
９３  灰皿収納部
９４  前壁
９５  中間側壁
９６  右側壁
９７  上面
９８  底面
１０１  後壁
１０２  左側壁
８２１  メダル取出部
８２２  メダル起立用溝部
８６１  メダル収容窪部
８６１Ａ  メダル整列部
８６１Ｂ  メダル案内部
８６２  誘導部
８６２Ａ  左側誘導部
８６２Ｂ  右側誘導部
【図１】
0004850142.tif 000002
【図２】
0004850142.tif 000003
【図３】
0004850142.tif 000004
【図４】
0004850142.tif 000005
【図５Ａ】
0004850142.tif 000006
【図５Ｂ】
0004850142.tif 000007
【図６】
0004850142.tif 000008
【図７Ａ】
0004850142.tif 000009
【図７Ｂ】
0004850142.tif 000010
【図８】
0004850142.tif 000011
【図９】
0004850142.tif 000012